(57)【要約】【課題】電力システムをより効率的に動作させ、系統とバッテリの間の安定的なエネルギー伝達が行われるようにする方案を提案する。【解決手段】系統の動作周波数が予め設定された周波数範囲に該当するデッドバンド範囲内に属するか否かを判断するステップと、系統の動作周波数がデッドバンド範囲内に属する場合に、エネルギー貯蔵装置の充電量を示すＳＯＣレベルが予め設定された維持範囲内に属するか否かを判断するステップと、系統の動作周波数がデッドバンド範囲内に属し、ＳＯＣレベルが予め設定された維持範囲を逸脱する場合、ＳＯＣレベルを維持範囲内に属するようにＳＯＣレベルを調整するステップと、を含み、維持範囲は、予め設定された下限値と上限値との間の範囲を示し、ＳＯＣレベルを調整するステップは、ＳＯＣレベルが下限値より小さい場合及び上限値より大きい場合のそれぞれに対して異なる調整を行う。【選択図】図３
2016167967.tif 000002
【特許請求の範囲】
【請求項１】
系統と連結されるエネルギー貯蔵装置によって前記系統の動作周波数の変化に応じて前記エネルギー貯蔵装置の充電量を制御する方法であって、
前記系統の動作周波数が予め設定された周波数範囲に該当するデッドバンド範囲内に属するか否かを判断するステップと、
前記系統の動作周波数が前記デッドバンド範囲内に属する場合、前記エネルギー貯蔵装置の充電量を示すＳＯＣレベルが予め設定された維持範囲内に属するか否かを判断するステップと、
前記系統の動作周波数が前記デッドバンド範囲内に属し、前記ＳＯＣレベルが予め設定された維持範囲を逸脱する場合に、前記ＳＯＣレベルを前記維持範囲内に属するように前記ＳＯＣレベルを調整するステップと、を含み、
前記維持範囲は、予め設定された下限値と上限値との間の範囲を示し、
前記ＳＯＣレベルを調整するステップは、前記ＳＯＣレベルが前記下限値より小さい場合及び前記上限値より大きい場合のそれぞれに対して異なる調整を行う、エネルギー貯蔵装置の制御方法。
【請求項２】
前記デッドバンド範囲内に属する周波数に対し、前記系統と前記エネルギー貯蔵装置との間のエネルギー伝達の変化を緩やかにするため、ヒステリシス曲線に沿って前記エネルギー伝達が行われるようにする、請求項１に記載のエネルギー貯蔵装置の制御方法。
【請求項３】
前記デッドバンド範囲は、予め設定された最大基準周波数と最小基準周波数との間の範囲に設定され、
前記デッドバンド範囲内には、前記最大基準周波数より小さい値の上限変曲点と、前記最小基準周波数より大きい値の下限変曲点とが形成される、請求項２に記載のエネルギー貯蔵装置の制御方法。
【請求項４】
前記系統の動作周波数が前記最大基準周波数と前記上限変曲点との間に該当する場合には、前記系統から前記エネルギー貯蔵装置に伝達されるエネルギー量が前記ヒステリシス曲線に沿うように制御する、請求項３に記載のエネルギー貯蔵装置の制御方法。
【請求項５】
前記系統の動作周波数が前記上限変曲点と前記下限変曲点との間に該当する場合には、前記系統の動作周波数の変動に関係なく前記系統と前記エネルギー貯蔵装置との間に伝達されるエネルギー量は一定に維持するようにする、請求項３又は４に記載のエネルギー貯蔵装置の制御方法。
【請求項６】
前記系統と前記エネルギー貯蔵装置との間に一定に伝達されるエネルギー量は、前記ＳＯＣレベルが前記下限値より小さい場合と前記上限値より大きい場合とがそれぞれ互いに異なる、請求項５に記載のエネルギー貯蔵装置の制御方法。
【請求項７】
前記系統の動作周波数が前記最小基準周波数と前記下限変曲点との間に該当する場合には、前記エネルギー貯蔵装置から前記系統に伝達されるエネルギー量が前記ヒステリシス曲線に沿うように制御する、請求項３〜６のいずれか一項に記載のエネルギー貯蔵装置の制御方法。
【請求項８】
前記系統の動作周波数が前記上限変曲点と前記下限変曲点との間に該当する場合には、前記系統の動作周波数の変動に関係なく、前記系統と前記エネルギー貯蔵装置との間に伝達されるエネルギー量は一定に維持するようにする、請求項３〜７のいずれか一項に記載のエネルギー貯蔵装置の制御方法。
【発明の詳細な説明】
【技術分野】
【０００１】
本実施例は電力系統における補助サービスを提供するものであり、特に周波数調整と電気貯蔵システムを使用する統合されたエネルギー貯蔵に関するものである。
【背景技術】
【０００２】
ある一定時間の間、例えば、一日の間、電気系統オペレーターは秒単位、分単位、時間単位で必要とするエネルギー量を評価する。
【０００３】
電気供給者は、このような評価されたエネルギー量を発電所を介して供給する。一般的に実際のロードの平均は評価された量に近い。しかし、要求されるエネルギー量が急激に変動する場合があり、予想より高かったり、逆に予想より低かったりする場合ともに、エネルギー量の急激な変化によって実質的な負担は増加する。
【０００４】
このような変動に備えて電気供給者は発電所からの電気出力を変化させ、要求されるロードに合わせることができる。発電所の出力が変化することを「負荷追従（ｌｏａｄ  ｆｏｌｌｏｗｉｎｇ）」という。伝達される電力より負荷が大きい場合に、電気装置の動作を完全に維持させるためには伝達する電力が増加すべきことは当然のことである。
【０００５】
図１は、発電所の実際のロード１１０と負荷追従１２０を示す図面である。示されたように、発電所が実際の負荷の変動に正確にマッチングすることは困難である。供給された電力が電力負荷と異なる場合、家庭や工場に供給されたＡＣ電流の周波数は基準値と言える５０Ｈｚまたは６０Ｈｚでないはずである。周波数のこのような違いは、家電製品、照明などの電子機器が非効率的に動作するようにし、更には安全ではない動作をさせる原因となる。
【０００６】
ＡＣ電流の要求される動作周波数を維持するために、電力システムのオペレーターは、発電所が周波数調整という付加的な動作を行うようにする。図１を参照すると、図面符号１３０は好ましい動作範囲内で周波数を維持するために、瞬間毎にどれだけ多くの周波数調整が行われているのかを示す。
【０００７】
負荷（要求量）が供給された電力より小さければ、出力周波数が６０Ｈｚ以上に増加し、逆にロードが供給された電力より大きければ、発電機のエネルギー生産が減少するため周波数が減少する。
【０００８】
系統の周波数と同期化される速い応答の発電所が設けられたり、電力供給における失敗イベントや他の問題に対して非常に速くエネルギー供給を開始できる速い応答の発電所が設けられることが想像できるが、このような発電所を構成することは、現在のところ非常に困難である。
【０００９】
周波数調整と同期化された貯蔵所のようなサービスは、一般的に電力系統の補助的なサービスに区分される。このようなサービスは電力提供と消費のためのエネルギーの要求を満たす必要がある。
【００１０】
周波数調整、同期化された貯蔵所及び他の補助サービスは発電所によって提供される。しかし、バッテリ、フライホイール、キャパシタまたは他の装置のようなエネルギー貯蔵技術は電気電力系統にエネルギーを供給するのに使用される。そして、このようなエネルギー貯蔵技術は、系統から超過されたエネルギーに対しては次回の使用のために貯蔵させ、または系統にエネルギーを放電させるなどの動作を行う。
【００１１】
周波数調整は、瞬間毎（図１の図面符号１３０）にシステムで全体のエネルギーを一定に維持するためにエネルギーを足したり引いたりするなどの調整が行わなければならず、エネルギー貯蔵技術はこのような要求を満たす必要がある。
【００１２】
エネルギー貯蔵技術は自ら新しいエネルギーを生産することではなく、発電所から生産されたエネルギーの使用に対してより良い効率を与えられる技術である。このような効率性は、電力システムの動作においてより安い費用とより少ないエネルギー放出を意味する。
【発明の概要】
【発明が解決しようとする課題】
【００１３】
本実施例では、電力システムをより効率的に動作させ、系統とバッテリの間の安定的なエネルギー伝達が行われるようにする方案を提案する。
【課題を解決するための手段】
【００１４】
実施例のエネルギー貯蔵装置の制御方法は、系統と連結されるエネルギー貯蔵装置によって前記系統の動作周波数の変化に応じて前記エネルギー貯蔵装置の充電量を制御する方法であって、前記系統の動作周波数が予め設定された周波数範囲に該当するベッドバンド範囲内に属するか否かを判断するステップと、前記動作周波数が前記デッドバンド範囲内に属する場合、前記エネルギー貯蔵装置の充電量を示すＳＯＣレベルが予め設定された維持範囲内に属するか否かを判断するステップと、前記系統の動作周波数がデッドバンド範囲内に属し、前記ＳＯＣレベルが予め設定された維持範囲を逸脱する場合、前記ＳＯＣレベルを前記維持範囲内に属するように前記ＳＯＣレベルを調整するステップと、を含むが、前記維持範囲は予め設定された下限値と上限値の間の範囲を示し、前記ＳＯＣレベルを調整するステップは、前記ＳＯＣレベルが前記下限値より小さい場合と前記上限値より大きい場合のそれぞれに対して異なる調整を行う。
【００１５】
また、実施例の電力管理システムは、発電装置とバッテリと系統を連携して負荷に電力を供給するか、前記発電装置またはバッテリから直流電力を供給されて変換する電力変換システムと、前記バッテリのＳＯＣレベル情報を読み取り、前記バッテリの充電または放電によるＳＯＣ変化量を監視する充電制御部と、を含むが、前記充電制御部は前記電力変換部を介して前記系統の周波数を読み取り、前記充電制御部は前記系統の周波数が予め設定された周波数範囲に該当するデッドバンド範囲内に属するか否かを判断し、前記周波数が前記デッドバンド範囲内に属し、前記ＳＯＣレベルが予め設定された維持範囲を逸脱する場合に、前記ＳＯＣレベルを前記維持範囲内に属するように前記ＳＯＣレベルを調整する。
【発明の効果】
【００１６】
提案される本実施例によって、系統周波数が予め設定されたデッドバンドの上限値と下限値の近くで変動される場合にも、安定的にバッテリの充電と放電が行われるようにする。
【００１７】
これを介し、系統周波数を安定化させることが容易になる長所がある。
【図面の簡単な説明】
【００１８】
【図１】発電所の実際のロードと負荷追従を示す図である。
【図２】本実施例の電力管理システムの構成を示す図である。
【図３】本実施例によってバッテリで充電の特定範囲を維持させる方法を説明するフローチャートである。
【図４】本実施例によってＳＯＣレベルに従って適用される調整グラフである。
【図５】本実施例によってＳＯＣレベルに従って適用される調整グラフである。
【図６】本実施例の調整グラフと比較するためにヒステリシス曲線が適用されない場合を示すグラフである。
【発明を実施するための形態】
【００１９】
本明細書及び特許請求の範囲に用いられた用語及び単語は、通常または辞書的な意味に限定して解釈されてはならず、発明者は自分の発明を最善の方法を用いて説明するために用語の概念を適切に定義できるという原則に基づき、本発明の技術的思想に符合する意味と概念として解釈されなければならない。
【００２０】
したがって、本明細書に記載された実施例と図面に示す構成は、本発明の最も好ましい一実施例に過ぎず、本実施例の技術的思想を全て代弁するものではないため、本出願が行われた時点においてこれらを代替できる様々な均等物と変形例があり得るということが理解されるべきである。
【００２１】
以下、本発明の実施例について添付した図面を参照して詳細に説明する。
【００２２】
図２は、本発明の一実施例による発電電力管理システムのブロック図である。
【００２３】
本発明の一実施例による電力供給システム１００は、発電装置１０１、直流／交流コンバータ１０３、交流フィルタ１０５、交流／交流コンバータ１０７、系統１０９、充電制御部１１１、バッテリエネルギー貯蔵システム１１３、システム制御部１１５、負荷１１７及び直流／直流コンバータ１２１を含む。
【００２４】
発電装置１０１は電気エネルギーを生産する。発電装置が太陽光発電装置であれば、発電装置１０１は太陽電池アレイである。太陽電池アレイは複数の太陽電池モジュールを結合したものである。太陽電池モジュールは複数の太陽電池セルを直列または並列に連結し、太陽エネルギーを電気エネルギーに変換して所定の電圧と電流を発生する装置である。よって、太陽電池アレイは太陽エネルギーを吸収して電気エネルギーに変換する。また、発電システムが風力発電システムであれば、発電装置１０１は風力エネルギーを電気エネルギーに変換するファンである。しかし、前記記載のように電力供給システム１００は発電装置１０１がなくてもバッテリエネルギー貯蔵システム１１３のみを介して電力を供給することができる。この場合、電力供給システム１００は発電装置１０１を含まなくてもよい。
【００２５】
直流／交流コンバータ１０３は直流電力を交流電力にコンバーティングする。発電装置１０１が供給した直流電力またはバッテリエネルギー貯蔵システム１１３が放電した直流電力を供給されて交流電力にコンバーティングする。
【００２６】
交流フィルタ１０５は交流電力にコンバーティングされた電力のノイズをフィルタリングする。詳細な実施例において交流フィルタ１０５は省略されてもよい。
【００２７】
交流／交流コンバータ１０７は交流電力を系統１０９または負荷１１７に供給するようにノイズがフィルタリングされた交流電力の電圧の大きさをコンバーティングして電力を系統１０９または独立した負荷に供給する。詳細な実施例によって交流／交流コンバータ１０７は省略されてもよい。
【００２８】
系統１０９とは、多くの発電所、変電所、送配電線及び負荷が一体になって電力の発生及び利用が行われるシステムである。
【００２９】
負荷１１７は発電システムから電気エネルギーを供給されて電力を消耗する。バッテリエネルギー貯蔵システム１１３は発電装置１０１から電気エネルギーを供給されて充電し、系統１０９または負荷１１７の電力需給状況に応じて充電された電気エネルギーを放電する。
【００３０】
詳しくは、系統１０９または負荷１１７が軽負荷であれば、バッテリエネルギー貯蔵システム１１３は発電装置１０１から遊休電力を供給されて充電する。系統１０９または負荷１１７が過負荷であれば、バッテリエネルギー貯蔵システム１１３は充電された電力を放電して系統１０９または負荷１１７に電力を供給する。系統１０９または負荷１１７の電力需給状況は時間帯別に大きい差を示す。
【００３１】
よって、電力供給システム１００が発電装置１０１が供給する電力を系統１０９または負荷１１７の電力需給状況を考慮せずに一律的に供給することは非効率である。よって、発電供給システム１００はバッテリエネルギー貯蔵システム１１３を使用して系統１０９または負荷１１７の電力需給状況に応じて電力供給量を調節する。それによって、電力供給システム１００は系統１０９または負荷１１７に効率的に電力を供給することができる。
【００３２】
直流／直流コンバータ１２１はバッテリエネルギー貯蔵システム１１３が供給するか供給される直流電力の大きさをコンバーティングする。詳細な実施例において直流／直流コンバータ１２１は省略されてもよい。
【００３３】
システム制御部１１５は直流／交流コンバータ１０３及び交流／交流コンバータ１０７の動作を制御する。また、システム制御部１１５はバッテリエネルギー貯蔵システム１１３の充電と放電を制御する充電制御部１１１を含む。
【００３４】
充電制御部１１１はバッテリエネルギー貯蔵システム１１３の充電及び放電を制御する。系統１０９または負荷１１７が過負荷であれば、充電制御部１１１はバッテリエネルギー貯蔵システム１１３が電力を供給して系統１０９または負荷１１７に電力を伝達するように制御する。系統１０９または負荷１１７が軽負荷であれば、充電制御部１１１は外部の電力供給源または発電装置１０１が電力を供給し、バッテリエネルギー貯蔵システム１１３に伝達するように制御する。
【００３５】
一方、系統に供給されるＡＣ電流の周波数は一定に維持されなければならず、このような周波数調整の間に、バッテリのＳＯＣは上がったり下がったりする変化が多く発生する。例えば、バッテリは系統に大量のエネルギーを伝達すると、バッテリには非常に少ない充電量（約２０％のＳＯＣ）だけが残る。他の例として、バッテリは系統から大量のエネルギーを受けると、バッテリには非常に多い充電量（約８５％のＳＯＣ）が残る。このような二つの例で、バッテリの放電量または充電量が多い場合、系統周波数を引き続き調整するためバッテリは劣悪な状況に置かれる。よって、より信頼できるシステムを提供するために実施例では好ましい範囲内でバッテリの充電が変更される。
【００３６】
本実施例によると、バッテリの充電を増加させたり減少させたりする動作が行われ、このような動作は電力分配システムの全体的な要求に応じて適当なＳＯＣを合わせるために行われる。特に、系統周波数の変動を抑制するためバッテリのＳＯＣレベルを一定に維持する方法として、バッテリのＳＯＣレベルと瞬間系統周波数の値によって互いに異なる周波数調整のアルゴリズムが適用されることで、より安定的な系統の安定化を図る方法を提案する。
【００３７】
図３は、本実施例によってバッテリで充電の特定範囲を維持する方法を説明するフローチャートである。システムが周波数調整を提供するため、電力を足したり、吸収しない時間の間に電気系統の動作周波数を調整する方法である。
【００３８】
まず、充電制御部１１５は現在のＳＯＣレベルを獲得する（Ｓ３１０）。例えば、充電制御部１１５はバッテリエネルギー貯蔵システム１１３からＳＯＣレベルを読み取り、前記ＳＯＣレベルは周期的にモニタリングされる値である。
【００３９】
次に、前記充電制御部１１５は系統周波数値を獲得する（Ｓ３２０）。例えば、充電制御部１１５は周期的に電力変換部１１０から測定された系統周波数情報を獲得する。そして、前記充電制御部１１５は受信した周波数が予め設定されたデッドバンド内に属するか否かを判断する（Ｓ３３０）。例えば、予め設定されたデッドバンドである６０Ｈｚ±０．０５Ｈｚ内の範囲に属するか否かが判断される。このような範囲は周波数調整のためにシステムに予め設定された周波数範囲になる。例えば、６０Ｈｚ±０．０５Ｈｚ範囲が予め設定されたデッドバンド（または基準周波数範囲）になり、瞬間系統周波数が設定された基準周波数範囲を逸脱する際にのみ、調整の要請が行われる。この場合、６０Ｈｚは基準周波数になる。そして、６０．０５Ｈｚは最大基準周波数になり、５９．９５Ｈｚは最小基準周波数になる。
【００４０】
瞬間系統周波数がデッドバンド範囲内に属しない場合（デッドバンド範囲を逸脱する場合）には、ＳＯＣレベルの調整は行われない。それは、周波数が高い時の系統へのエネルギー伝達や周波数が低い時の系統からのエネルギー伝達は、それ自体で調整に対する必要を起こすためである。即ち、系統周波数はデッドバンド範囲を逸脱する場合には、系統とバッテリ相互間のエネルギー伝達によって系統周波数の調整が自然に行われるためである。
【００４１】
しかし、系統周波数がデッドバンド内に属する場合は、前記充電制御部１１５は予め設定された上限値Ｌ２と下限値Ｌ１の範囲内に該当ＳＯＣレベルが属するか否かを判断する（Ｓ３４０）。一実施例では、Ｌ１は全体バッテリ容量の４５％になり、Ｌ２は全体バッテリ容量の５５％になる。
【００４２】
もし、ＳＯＣ値が維持範囲Ｌ１＜ＳＯＣ＜Ｌ２を逸脱するが、系統周波数がデッドバンド内に属する場合には、ＳＯＣレベルの調整過程が行われる（Ｓ３５０）。ＳＯＣレベルの調整過程は添付した図４及び図５を参照して以下で詳細に説明する。本実施例では、系統周波数がデッドバンド内に属し、ＳＯＣレベルが下限値より小さい場合とＳＯＣレベルが上限値より大きい場合にＳＯＣレベルの調整過程が行われ、特にＳＯＣの現在のレベルが下限値より小さい場合と上限値より大きい場合に、それぞれ別途の調整グラフに沿って調整過程が行われる。
【００４３】
一方、ＳＯＣレベルが維持範囲（デッドバンド）内に属する場合（Ｓ３３０）には、系統とバッテリセルの間のエネルギー伝達は行われない。
【００４４】
そして、バッテリのＳＯＣレベルの修正が行われる間には、系統周波数がデッドバンドを逸脱するか否かが継続してモニタリングされる（Ｓ３６０）。もし、系統周波数がデッドバンドを逸脱する場合には、システムはバッテリの充電またはバッテリの放電を中断する。しかし、系統周波数がデッドバンド内に属すれば、追加的にＳＯＣ値を確認するステップ（Ｓ３７０）を行う。
【００４５】
Ｓ３７０で、ＳＯＣレベルが目標として設定したレベル（目標値）に戻ったかどうかを確認する。例えば、ＳＯＣレベルがＳ３３０で行われた維持範囲内に再び属するか否かが確認される。実施例によっては、その値が変更されることは勿論のこと、ＳＯＣが５０％になったり、その値に近づくまで行われる。
【００４６】
一方、ＳＯＣ値が設定された上限または下限値に近づく値である場合、充電修正を繰り返す必要がある。ＳＯＣ値が維持範囲内に属しない場合には、Ｓ３５０乃至Ｓ３７０が繰り返されて行われる。ＳＯＣ値が段階Ｓ３７０で要求される値になった場合には、システムは充電プロセスを中断する。
【００４７】
実施例では、充電制御部１１５が自ら系統電力の周波数を前記インバータ１３０または電力変換部１１０を介してモニタリングし、系統周波数が何時予め設定されたデッドバンド内に入るのかを早く決定することができる。
【００４８】
即ち、系統周波数がデッドバンド内に入ると、前記充電制御部１１５はバッテリセルのＳＯＣレベルが修正される必要があるのかを判断する。
【００４９】
系統の周波数調整に対する説明と、バッテリセルのＳＯＣレベルを調節することに対する説明を図４及び図５に開示する。
【００５０】
図４及び図５は、本実施例によってＳＯＣレベルによって適用される調整グラフである。まず、ＳＯＣレベルが予め設定された維持範囲を逸脱し、瞬間系統周波数がデッドバンド内に属する場合にも図４または図５に示された調整グラフが適用される。
【００５１】
測定されたＳＯＣレベルが下限値より小さい場合（例えば、ＳＯＣレベルが４５より小さい場合）は、図４に示された調整グラフが適用され、ＳＯＣレベルを上昇させるために充電区間が更に与えられた調整値を反映している。
【００５２】
図４及び図５は、系統の周波数調整のためにシステムの動作を説明するためのグラフである。垂直軸は検出された系統周波数のＨｚ単位を示し、水平軸はバッテリセルと系統の間に伝達されるエネルギー量のＭＷ（メガワット）単位を示す。
【００５３】
図４を参照すると、基準系統周波数として６０Ｈｚが使用され、点線の間の領域はデッドバンド（維持範囲）の区間として、系統周波数の調節が要らない系統周波数の許容範囲内の変動に該当する区間である。示された例では、デッドバンドが６０Ｈｚ±０．０５Ｈｚに設定されている。
【００５４】
また、本実施例ではデッドバンド内でも上限変曲点と下限変曲点が設定される。例えば、基準周波数が６０Ｈｚで、デッドバンド範囲が６０Ｈｚ±０．０５Ｈｚである場合、上限変曲点は６０Ｈｚ＋０．０２５Ｈｚ地点となり、下限変曲点は６０Ｈｚ−０．０２５Ｈｚ地点にそれぞれ設定される。
【００５５】
上限変曲点と下限変曲点は、系統周波数がデッドバンドの上限値と下限値の近くに位置する場合に、バッテリの充電と放電が急激に変わらないようにするために設定される値である。
【００５６】
系統周波数がデッドバンド内に属し、上限変曲点とデッドバンドの上限値の間に属する場合には、バッテリの急激な充電と放電が交差することを防ぐためヒステリシス曲線に沿って充電から放電に緩やかに変更されるか、または逆にバッテリ放電から充電に緩やかに変更される。
【００５７】
また、系統周波数がデッドバンド内に属し、下限変曲点とデッドバンドの下限値の間に属する場合にも、ヒステリシス曲線に沿って放電から充電に緩やかに変更されるか、または逆にバッテリ充電から放電に緩やかに変更される。
【００５８】
このように、本実施例ではデッドバンド内に上限値と上限変曲点の間の上限変曲区間４Ａが形成され、デッドバンドの下限値と下限変曲点の間の下限変曲区間４Ｂが形成される。そして、それらの変曲区間ではヒステリシス曲線に沿ってバッテリの充電または放電状態への遷移が緩やかに行われる。
【００５９】
もし、図６に示されたように瞬間系統周波数がデッドバンドに属するか否かによって充電中の状態から突然充電が中断６Ａ，６Ｂされるか、バッテリ放電によって系統に電力を供給する途中にバッテリの放電が突然中断６Ｃ、６Ｄされる場合であれば、系統周波数のデッドバンドの上限値と下限値の近くで流動する場合にバッテリの充電及び放電が急激に変動される。
【００６０】
このような場合には、バッテリの寿命を更に短くするだけでなく、系統周波数の安定化を更に損ねる結果をもたらす。
【００６１】
一方、図５を参照すると、測定されたＳＯＣレベルが上限値より小さい場合（例えば、ＳＯＣレベルがＳ５より大きい場合）は、図５に示された調整グラフが適用され、ＳＯＣレベルを減少させるため放電区間（例えば、２ＭＷへの放電設定）が更に与えられた調整値を反映している。
【００６２】
図５の場合も同様に、基準系統周波数として６０Ｈｚが使用され、点線の間の領域はデッドバンド（維持範囲）の区間として、系統周波数の調節が要らない系統周波数の許容範囲内の変動に該当する区間と言える。示された例では、デッドバンドが６０Ｈｚ±０．０５Ｈｚに設定されている。
【００６３】
また、本実施例では、デッドバンド内でも上限変曲点と下限変曲点が設定される。例えば、基準周波数が６０Ｈｚで、デッドバンド範囲が６０Ｈｚ±０．０５Ｈｚである場合、上限変曲点は６０Ｈｚ＋０．０２５Ｈｚ地点となり、下限変曲点は６０Ｈｚ−０．０２５Ｈｚ地点にそれぞれ設定される。
【００６４】
系統周波数がデッドバンド内に属し、上限変曲点とデッドバンドの上限値の間に属する場合には、バッテリの急激な充電と放電が交差することを防ぐためヒステリシス曲線に沿って充電から放電に緩やかに変更されるか、または逆にバッテリ放電から充電に緩やかに変更される。
【００６５】
また、系統周波数がデッドバンド内に属し、下限変曲点とデッドバンドの下限値の間に属する場合にも、ヒステリシス曲線に沿って放電から充電に緩やかに変更されるか、または逆にバッテリ充電から放電に緩やかに変更される。
【００６６】
このように、本実施例ではデッドバンド内に上限値と上限変曲点の間の上限変曲区間５Ａが形成され、デッドバンドの下限値と下限変曲点の間の下限変曲区間５Ｂが形成される。そして、それらの変曲区間ではヒステリシス曲線に沿ってバッテリの充電または放電状態への遷移が緩やかに行われる。
【００６７】
これまで本発明の好ましい実施例を中心に説明したが、これは単なる例示であって本発明を限定するものではなく、本発明が属する分野の通常の知識を有する者であれば本発明の本質的な特性を逸脱しない範囲内で前記に例示されていない様々な変形と応用が可能であることが分かる。例えば、実施例に具体的に示した各構成要素は変形して実施してもよい。そして、このような変形と応用に関する差は、添付した特許請求の範囲で規定する本発明の範囲に含まれると解析すべきである。
【符号の説明】
【００６８】
１００    電力供給システム
１０１    発電装置
１０３    直流／交流コンバータ
１０５    交流フィルタ
１０７    交流／交流コンバータ
１０９    系統
１１１    充電制御部
１１３    バッテリエネルギー貯蔵システム
１１５    システム制御部
１１７    負荷
１２１    直流／直流コンバータ
【図１】
2016167967.tif 000003
【図２】
2016167967.tif 000004
【図３】
2016167967.tif 000005
【図４】
2016167967.tif 000006
【図５】
2016167967.tif 000007
【図６】
2016167967.tif 000008